(57)【特許請求の範囲】
【請求項１】
検体を分析する分析装置の製造を支援する製造支援システムであって、
分析装置の機種毎に設定値を記憶する記憶部と、
調整対象の対象分析装置及び基準値としての分析結果を出力する基準分析装置と通信するための通信部と、
設定値が設定されていない対象分析装置から、前記通信部を介して、前記対象分析装置の機種を特定する特定情報を受信した場合に、受信した特定情報に基づいて、前記対象分析装置の機種に対応する設定値を前記記憶部から検索する検索手段と、
前記検索手段によって検索された設定値を、前記通信部を介して、前記対象分析装置に送信する送信手段と、
前記設定値が設定された前記対象分析装置から、前記対象分析装置が標準検体を分析したときの第１分析結果を前記通信部を介して受信し、且つ、前記基準分析装置から、前記基準分析装置が前記標準検体と実質的に同一の標準検体を分析したときの第２分析結果を前記通信部を介して受信した場合に、受信した前記第１分析結果及び前記第２分析結果に基づいて、前記対象分析装置の新たな設定値を生成する生成手段と、
を備え、
前記送信手段は、前記生成手段によって生成された新たな設定値を前記対象分析装置に設定するために、前記通信部を介して、前記新たな設定値を前記対象分析装置に送信するように構成されている、
製造支援システム。
【請求項２】
前記基準分析装置から受信した前記第２分析結果を前記記憶部に記憶させる格納手段をさらに備え、
前記通信部を介して前記第２分析結果を受信すると、前記格納手段は、受信した前記第２分析結果を前記記憶部に記憶させ、前記送信手段は、前記標準検体の測定を指示する測定コマンドを、前記通信部を介して前記対象分析装置に送信し、
前記測定コマンドが送信された前記対象分析装置から、前記通信部を介して前記第１分析結果を受信すると、前記生成手段は、受信した前記第１分析結果と、前記記憶部から読み出した前記第２分析結果とに基づいて、前記対象分析装置の新たな設定値を生成するように構成されている、
請求項１に記載の製造支援システム。
【請求項３】
前記送信手段は、設定値が設定されていない対象分析装置との接続が、前記通信部を介して確立されると、前記対象分析装置に前記特定情報を送信させるための信号を、前記通信部を介して前記対象分析装置に送信するように構成されている、
請求項１又は２に記載の製造支援システム。
【請求項４】
前記分析装置は、多項目自動血球分析装置、血液凝固測定装置、免疫分析装置又は尿分析装置である、
請求項１乃至３の何れか１項に記載の製造支援システム。
【発明の詳細な説明】
【技術分野】
【０００１】
本発明は、検体を分析する分析装置の製造を支援する製造支援システムに関する。
【背景技術】
【０００２】
血液、尿等の検体を分析する分析装置が知られている。かかる分析装置の製造工程には、製品を組み立てる組立工程、組み立てられた製品の調整を行う調整工程、及び調整された製品の検査を行う検査工程が含まれる。これらの工程の多くは、作業者の手作業により実施されている。
【０００３】
特許文献１には、分析装置等の組立を行う生産ラインにおいて用いられ、組立等の作業に必要な情報を提供する作業指導書表示システムが開示されている。当該システムは、サーバ装置とクライアント装置とを備えており、ディジタルカメラで撮影された画像を含む作業指導書のＰＤＦ（ポータブルドキュメントファイル）データをサーバ装置のハードディスクに記憶しておき、この作業指導書をクライアント装置が読み込み、表示する構成となっている。作業者は表示された作業指導書に従って、製品の組立等の作業を実施する。
【特許文献１】特開２００１−２６５４２０号公報
【発明の開示】
【発明が解決しようとする課題】
【０００４】
しかしながら、特許文献１に記載の作業指示支援システムは、作業指導書により作業の要領、手順、注意点等の作業上必要な情報を作業者に提供するものであり、作業者は組立工程だけでなく、調整工程及び検査工程においても作業指導書に示された作業の要領及び手順等に従って、製品の設定値の入力作業及び調整作業等を実施することが必要であった。
【０００５】
本発明は斯かる事情に鑑みてなされたものであり、その主たる目的は、自動的に分析装置の設定を行うことができ、製造工程中の調整工程及び／又は検査工程における作業者の負担を軽減することができる分析装置の製造支援システムを提供することにある。
【課題を解決するための手段】
【０００６】
上述した課題を解決するために、本発明の一の態様の製造支援システムは、検体を分析する分析装置の製造を支援する製造支援システムであって、分析装置の機種毎に設定値を記憶する記憶部と、調整対象の対象分析装置及び基準値としての分析結果を出力する基準分析装置と通信するための通信部と、設定値が設定されていない対象分析装置から、前記通信部を介して、前記対象分析装置の機種を特定する特定情報を受信した場合に、受信した特定情報に基づいて、前記対象分析装置の機種に対応する設定値を前記記憶部から検索する検索手段と、前記検索手段によって検索された設定値を、前記通信部を介して、前記対象分析装置に送信する送信手段と、前記設定値が設定された前記対象分析装置から、前記対象分析装置が標準検体を分析したときの第１分析結果を前記通信部を介して受信し、且つ、前記基準分析装置から、前記基準分析装置が前記標準検体と実質的に同一の標準検体を分析したときの第２分析結果を前記通信部を介して受信した場合に、受信した前記第１分析結果及び前記第２分析結果に基づいて、前記対象分析装置の新たな設定値を生成する生成手段と、を備え、前記送信手段は、前記生成手段によって生成された新たな設定値を前記対象分析装置に設定するために、前記通信部を介して、前記新たな設定値を前記対象分析装置に送信するように構成されている。
【０００７】
また、上記態様において、前記製造支援システムは、前記基準分析装置から受信した前記第２分析結果を前記記憶部に記憶させる格納手段をさらに備え、前記通信部を介して前記第２分析結果を受信すると、前記格納手段は、受信した前記第２分析結果を前記記憶部に記憶させ、前記送信手段は、前記標準検体の測定を指示する測定コマンドを、前記通信部を介して前記対象分析装置に送信し、前記測定コマンドが送信された前記対象分析装置から、前記通信部を介して前記第１分析結果を受信すると、前記生成手段は、受信した前記第１分析結果と、前記記憶部から読み出した前記第２分析結果とに基づいて、前記対象分析装置の新たな設定値を生成するように構成されていてもよい。
【０００８】
また、上記態様において、前記送信手段は、設定値が設定されていない対象分析装置との接続が、前記通信部を介して確立されると、前記対象分析装置に前記特定情報を送信させるための信号を、前記通信部を介して前記対象分析装置に送信するように構成されていてもよい。
また、上記態様において、前記分析装置は、多項目自動血球分析装置、血液凝固測定装置、免疫分析装置又は尿分析装置であってもよい。
【発明の効果】
【０００９】
本発明に係る分析装置の製造支援システムによれば、自動的に分析装置の設定を行うことができ、分析装置の製造工程中の調整工程及び検査工程における作業者の作業量及び負担を軽減することが可能となる。
【発明を実施するための最良の形態】
【００１０】
以下、本発明の好ましい実施の形態を、図面を参照しながら説明する。
【００１１】
本実施の形態は、多項目自動血球分析装置、血液凝固測定装置、免疫分析装置、及び尿分析装置等の種々の分析装置の製造ラインにおいて分析装置の製造を支援する製造支援システムである。
【００１２】
［製造支援システムの構成］
図１は、本実施の形態に係る製造支援システムの全体構成を示す模式図である。図１に示すように、製造支援システム１は、１つのサーバ装置２と、当該サーバ装置２に対するクライアント装置である複数の製造支援装置３，３，…とを備えている。サーバ装置２はコンピュータにより構成されており、サーバ装置２と各製造支援装置３，３，…とは、ネットワーク４１を介して通信可能に接続されている。
【００１３】
また、各製造支援装置３，３，…には、それぞれ１又は複数（１〜１５）台の分析装置５，５，…が、前記ネットワーク４１とは異なるＬＡＮ４２，４２，…を介して接続される。これらの分析装置は、製造工程中の組立工程を完了したものであり、調整工程及び検査工程の対象とされるものである。また、製造支援装置３，３，…は、ＬＡＮ４２，４２，…を介して、基準機５０に接続される。基準機５０は、分析装置５と同一の構成の分析装置であり、その分析結果がその機種の分析装置５，５，…の分析結果の基準値とされる。各分析装置５，５，…は、濃度既知の標準検体を分析したときの分析結果（測定値）が、同一の標準検体を基準機５０が分析したときの分析結果から定まる正常範囲内に収まっている必要があり、前記正常範囲を外れる場合には、調整工程において、前記正常範囲内に分析結果が入るように調整される。
【００１４】
＜製造支援装置の構成＞
図２は、製造支援装置の構成を示すブロック図である。製造支援装置３は、コンピュータ３ａによって実現される。図２に示すように、コンピュータ３ａは、本体３１と、画像表示部３２と、入力部３３とを備えている。本体３１は、ＣＰＵ３１ａと、ＲＯＭ３１ｂ、ＲＡＭ３１ｃ、ハードディスク３１ｄ、読出装置３１ｅ、入出力インタフェース３１ｆ、通信インタフェース３１ｇ、３１ｈ及び画像出力インタフェース３１ｉを備えており、ＣＰＵ３１ａ、ＲＯＭ３１ｂ、ＲＡＭ３１ｃ、ハードディスク３１ｄ、読出装置３１ｅ、入出力インタフェース３１ｆ、通信インタフェース３１ｇ、３１ｈ、及び画像出力インタフェース３１ｉは、バス３１ｊによって接続されている。
【００１５】
ＣＰＵ３１ａは、ＲＡＭ３１ｃにロードされたコンピュータプログラムを実行することが可能である。そして、後述するような製造支援プログラム３４ａを当該ＣＰＵ３１ａが実行することにより、コンピュータ３ａが製造支援装置３として機能する。
【００１６】
ＲＯＭ３１ｂは、マスクＲＯＭ、ＰＲＯＭ、ＥＰＲＯＭ、又はＥＥＰＲＯＭ等によって構成されており、ＣＰＵ３１ａに実行されるコンピュータプログラムおよびこれに用いるデータ等が記録されている。
【００１７】
ＲＡＭ３１ｃは、ＳＲＡＭまたはＤＲＡＭ等によって構成されている。ＲＡＭ３１ｃは、ハードディスク３１ｄに記録されている製造支援プログラム３４ａの読み出しに用いられる。また、ＣＰＵ３１ａがコンピュータプログラムを実行するときに、ＣＰＵ３１ａの作業領域として利用される。
【００１８】
ハードディスク３１ｄは、オペレーティングシステムおよびアプリケーションプログラム等、ＣＰＵ３１ａに実行させるための種々のコンピュータプログラムおよび当該コンピュータプログラムの実行に用いられるデータがインストールされている。後述する製造支援プログラム３４ａも、このハードディスク３１ｄにインストールされている。
【００１９】
読出装置３１ｅは、フレキシブルディスクドライブ、ＣＤ−ＲＯＭドライブ、またはＤＶＤ−ＲＯＭドライブ等によって構成されており、可搬型記録媒体３４に記録されたコンピュータプログラムまたはデータを読み出すことができる。また、可搬型記録媒体３４には、コンピュータを製造支援装置として機能させるための製造支援プログラム３４ａが格納されており、コンピュータ３ａが当該可搬型記録媒体３４から製造支援プログラム３４ａを読み出し、当該製造支援プログラム３４ａをハードディスク３１ｄにインストールすることが可能である。
【００２０】
なお、前記製造支援プログラム３４ａは、可搬型記録媒体３４によって提供されるのみならず、電気通信回線（有線、無線を問わない）によってコンピュータ３ａと通信可能に接続された外部の機器から前記電気通信回線を通じて提供することも可能である。例えば、前記製造支援プログラム３４ａがインターネット上のサーバコンピュータのハードディスク内に格納されており、このサーバコンピュータにコンピュータ３ａがアクセスして、当該コンピュータプログラムをダウンロードし、これをハードディスク３１ｄにインストールすることも可能である。
【００２１】
また、ハードディスク３１ｄには、例えば米マイクロソフト社が製造販売するWindows（登録商標）等のマルチタスクオペレーティングシステムがインストールされている。以下の説明においては、本実施の形態に係る製造支援プログラム３４ａは当該オペレーティングシステム上で動作するものとしている。なお、製造支援プログラム３４ａの構成の詳細については後述する。
【００２２】
また、ハードディスク３１ｄには、複数の設定ファイル３５ａ，３５ｂ，…が格納されている。各設定ファイルは、分析装置の機種別の設定ファイルであり、対応する分析装置の設定値が含まれている。さらに、後述するように、分析装置には、目的とする調整又は検査作業に応じて、例えば特定の画面を表示するためのプログラム、及び測定動作を実行するプログラム等、複数の調整・検査用プログラム及びシーケンスプログラムが記憶されている。また、かかる複数の調整・検査用プログラム及びシーケンスプログラムのそれぞれに対応して、その実行を指示する複数のコマンドが規定されている。ハードディスク３１ｄには、かかる調整・検査用プログラム又はシーケンスプログラムの実行を指示する複数のコマンド３６が記憶されている。なお、複数の設定ファイル３５ａ，３５ｂ，…は、サーバ装置２に記憶しておき、必要なときに製造支援装置３が読み出すようにしてもよい。
【００２３】
入出力インタフェース３１ｆは、例えばUSB，IEEE1394，又はRS-232C等のシリアルインタフェース、SCSI，IDE，又はIEEE1284等のパラレルインタフェース、およびＤ／Ａ変換器、Ａ／Ｄ変換器等からなるアナログインタフェース等から構成されている。入出力インタフェース３１ｆには、キーボードおよびマウスからなる入力部３３が接続されており、ユーザが当該入力部３３を使用することにより、コンピュータ３ａにデータを入力することが可能である。
【００２４】
通信インタフェース３１ｇ及び３１ｈは、Ethernet（登録商標）インタフェースである。通信インタフェース３１ｇはネットワーク４１に接続されており、通信インタフェース３１ｈはＬＡＮ４２に接続されている。コンピュータ３ａは、通信インタフェース３１ｇにより、所定の通信プロトコルを使用して通信ネットワーク４１に接続されたサーバ装置２との間でデータの送受信が可能であり、また、通信インタフェース３１ｈにより、所定の通信プロトコルを使用してＬＡＮ４２に接続された分析装置５，５，…及び基準機５０との間でデータの送受信が可能である。
【００２５】
画像出力インタフェース３１ｉは、ＬＣＤまたはＣＲＴ等で構成された画像表示部３２に接続されており、ＣＰＵ３１ａから与えられた画像データに応じた映像信号を画像表示部３２に出力するようになっている。画像表示部３２は、入力された映像信号にしたがって、画像（画面）を表示する。
【００２６】
＜分析装置の構成＞
図３は、分析装置の構成の一例を示すブロック図である。図３に示すように、本実施の形態に係る分析装置５（及び基準機５０）は、測定ユニット５ａと情報処理ユニット５ｂとを備えている。測定ユニット５ａは、ＣＰＵ５２及びメモリ５３を備える制御部５１と、複数の機構ユニット５６ａ，５６ｂ，…とを備えている。機構ユニット５６ａ，５６ｂ，…には、検体を分注する検体分注ユニット、試薬を分注する試薬分注ユニット、検体と試薬とを混合した測定試料を測定する測定ユニット等が含まれるが、これらは分析装置の種類によって異なる。また、測定ユニット５ａと情報処理ユニット５ｂとは、通信ケーブルにより接続されており、互いにデータの送受信が可能となっている。情報処理ユニット５ｂは、図示しない通信インタフェースを備えており、ＬＡＮ４２に接続されている。
【００２７】
メモリ５３は、設定値５４を記憶する領域を含んでいる。設定値５４は、各機構ユニットの初期状態及び動作条件等を規定するものであり、調整工程の前段階ではメモリ５３に記憶されていない。設定値５４は、調整工程において製造支援装置３から分析装置５へと与えられる。また、メモリ５３には、複数のシーケンスプログラム５５ａ，５５ｂ，…が記憶されている。シーケンスプログラム５５ａ，５５ｂ，…は、各機構ユニットを同期させながら制御して、検体の分注動作、試薬の分注動作、測定試料の測定動作、洗浄動作等の各種の動作を機構ユニットに行わせるための制御プログラムであり、ＣＰＵ５２により実行可能なプログラムである。かかるシーケンスプログラム５５ａ，５５ｂ，…には、調整工程又は検査工程において実行されるものも含まれている。調整工程及び検査工程において実行されるシーケンスプログラムには、例えば、所定の項目の測定動作を実行させるものが含まれる。
【００２８】
情報処理ユニット５ｂは、コンピュータにより構成されている。情報処理ユニット５ｂの主要な構成は製造支援装置３と同様であるので、その説明を省略する。情報処理ユニット５ｂは、ハードディスク５７を備えており、このハードディスク５７には、装置情報５８ａ、及び製造支援プログラム３４ａのバージョン情報５８ｂが格納されている。装置情報５８ａは、その製品の機種を示す機種情報及び装置固有のシリアル番号を含んでいる。また、このハードディスク５７は、設定値５８ｃを格納する領域を含んでいる。設定値５８ｃは、情報処理ユニット５ｂが備えるＣＰＵ５１０によって実行される情報処理プログラムの初期状態及び動作条件等を規定するものであり、調整工程の前段階ではハードディスク５７に記憶されていない。設定値５８ｃは、調整工程において製造支援装置３から分析装置５ｂへ与えられる。また、ハードディスク５７には、複数の調整・検査用プログラム５９ａ，５９ｂ，…が記憶されている。調整・検査用プログラム５９ａ，５９ｂ，…は、情報処理ユニット５ｂのＣＰＵ５１０により実行可能なプログラムであり、調整工程又は検査工程において調整又は検査の目的で実行されるプログラムである。調整・検査用プログラム５９ａ，５９ｂ，…には、例えば、所定の画面を表示するもの、及び情報処理プログラムのバージョン情報５８ｂを送信するものが含まれる。
【００２９】
製造支援装置３は、調整工程又は検査工程において、分析装置５に対して、調整又は検査に関連する所定の動作の実行を指示するコマンドをハードディスク３１ｄから読み出し、そのコマンドを送信することが可能である。情報処理ユニット５ｂは、製造支援装置３からかかるコマンドを受け付けると、そのコマンドに対応した調整・検査用プログラムを実行する。また、前記コマンドが測定ユニット５ａの動作を指示するものである場合には、情報処理ユニット５ｂが測定ユニット５ａに対して、前記コマンドに対応する動作を実行するための要求データを送信し、測定ユニット５ａが当該要求に応じて、対応するシーケンスプログラムを実行する。
【００３０】
［製造支援システムの動作］
以下、本実施の形態に係る製造支援システム１の動作について説明する。
【００３１】
組立工程では、サーバ装置２から製品の組立手順及び組立作業の内容を説明する動画データである作業指示データが製造支援装置３へ送信される。この作業指示データは、分析装置の機種毎に存在しており、定められた組立スケジュールに従って、そのときの組立対象の機種の作業指示データが製造支援装置３へ送信されるようになっている。作業者は、この動画を確認しながら製品の組立を行う。かかる組立工程が完了した後には、製品の調整工程が行われ、さらにその後、検査工程が行われる。
【００３２】
分析装置の組立が終了した後には、工程が組立工程から調整工程へと移行する。調整工程では、組立完了後の製品（分析装置）が図１に示すようにＬＡＮ４２に接続される。このとき、１つのＬＡＮ４２に対して１５台までの製品を一度に接続することができる。コンピュータ３ａは、製造支援プログラム３４ａを実行することにより、製造支援装置３として機能し、以下のように「分析装置の設定動作」、「設定値の調整動作」、及び「検査用画面表示動作」等の動作を実行する。調整工程においては、まず、製品の設定動作が行われる。
【００３３】
＜分析装置の設定動作＞
図４Ａは、分析装置の設定動作における製造支援装置３の処理の流れ示すフローチャートであり、図４Ｂは、同設定動作における分析装置５の処理の流れを示すフローチャートである。組立てられた分析装置５がＬＡＮ４２に接続されると、分析装置５と製造支援装置３との間で相互にＩＰアドレスの通知が行われ、接続が確立される。製造支援装置３のＣＰＵ３１ａは、接続の受け入れを示すアクセプト信号を分析装置５へ送信する（図４ＡのステップＳ１０１）。分析装置５の情報処理ユニット５ｂによりアクセプト信号が受信されると（図４ＢのステップＳ１１１）、情報処理ユニット５ｂのＣＰＵ５１０に割り込みが発生し、ステップＳ１１２の処理が呼び出される。
【００３４】
アクセプト信号を受け付けた後、ＣＰＵ５１０は、装置情報５８ａをハードディスク５７から読み出し（図４ＢステップＳ１１２）、読み出した装置情報５８ａを製造支援装置３へ送信する（図４ＢのステップＳ１１３）。
【００３５】
製造支援装置３により装置情報５８ａが受信されると（図４ＡのステップＳ１０２）、ＣＰＵ３１ａに割り込みが発生し、ステップＳ１０３の処理が呼び出される。
【００３６】
ステップＳ１０３において、ＣＰＵ３１ａは、受信した装置情報５８ａに対応する機種の設定ファイル（設定値）をハードディスク３１ｄから検索し、検索の結果得られた設定ファイルを分析装置５へ送信する（図４ＡのステップＳ１０４）。そして、ＣＰＵ３１ａは、処理を終了する。
【００３７】
一方、情報処理ユニット５ｂにより設定ファイルが受信されると（図４ＢのステップＳ１１４）、ＣＰＵ５１０に割り込みが発生し、ステップＳ１１５の処理が呼び出される。ステップＳ１１５においては、ＣＰＵ５１０が設定ファイルの一部（情報処理ユニットの設定値）又は全部をハードディスク５７に設定値５８ｃとして記憶し、また、設定ファイルの残りの部分（測定ユニットの設定値）があれば、測定ユニット５ａに送信してメモリ５３に記憶させる。そして、ＣＰＵ３１ａは、処理を終了する。以上の処理によって、分析装置５の設定が完了する。
【００３８】
＜設定値の調整動作＞
上記のような分析装置の設定動作が完了した後、製造支援システム１は、分析装置の設定値の調整動作を実行する。図５Ａは、設定値の調整動作における製造支援装置の処理の流れを示すフローチャートであり、図５Ｂは、同動作における基準機の処理の流れを示すフローチャートであり、図５Ｃは、同動作における分析装置の処理の流れを示すフローチャートである。
【００３９】
この設定値の調整動作においては、まず、図５Ａに示すように、製造支援装置３のＣＰＵ３１ａが、ハードディスク３１ｄに記憶されているコマンド３６の中から標準検体の測定コマンドを読み出し、基準機５０へ標準検体の測定コマンドを送信する（図５ＡのステップＳ２０１）。このコマンドは、基準機５０（分析装置５）の特定の調整・検査用プログラム及びシーケンスプログラムに対応しており、基準機５０の情報処理ユニットにより当該コマンドが受信されると（図５ＢのステップＳ２２１）、当該情報処理ユニットのＣＰＵに割り込みが発生し、当該コマンドに対応する調整・検査用プログラム及びシーケンスプログラムが実行される（図５ＢのステップＳ２２２）。これに先立ち作業者が標準検体を基準機５０にセットしておくことにより、自動的に当該標準検体の測定（分析）が開始される。基準機５０の情報処理ユニットのＣＰＵは、得られた分析結果を製造支援装置３へ送信する（図５ＢのステップＳ２２３）。
【００４０】
製造支援装置３により基準機５０の分析結果が受信されると（図５ＡのステップＳ２０２）、ＣＰＵ３１ａに割り込みが発生し、ステップＳ２０３の処理が呼び出される。ステップＳ２０３においては、ＣＰＵ３１ａが、受信された基準機５０の分析結果をハードディスク３１ｄに記憶する。
【００４１】
なお、上述のＳ２０１〜Ｓ２０３の処理は、既に基準機５０により標準検体の分析が完了しており、その分析結果が製造支援装置３のハードディスク３１ｄに記憶されている場合には、実行されない。この場合は、既に記憶されている分析結果を用いて以下の処理が行われる。
【００４２】
次に、製造支援装置３のＣＰＵ３１ａは、分析装置５へ標準検体の測定コマンドを送信し（図５ＡのステップＳ２０４）、これにより、分析装置５によって標準検体の測定（分析）が行われる。なお、ステップＳ２０４〜Ｓ２０６の処理、及び分析装置５における標準検体の分析に関する処理は、上述したステップＳ２０１〜Ｓ２０３の処理、及び基準機５０における標準検体の分析に関する処理Ｓ２２１〜Ｓ２２３と同様であるので、その説明を省略する。なお、分析装置５による分析の対象となる標準検体は、基準機５０による分析の対象となる標準検体と同一ロットのものとされる。同一ロットの標準検体は、同一の条件及び環境の下で製造されたものであり、実質的に同一の標準検体である。
【００４３】
製造支援装置３のＣＰＵ３１ａは、基準機５０の分析結果と分析装置５の分析結果との差が所定範囲内か否か、換言すれば、分析装置５の分析結果が、基準機５０によって定まる正常範囲内に収まるか否かを判定し（図５ＡのステップＳ２０７）、両分析結果の差が所定範囲内であれば（ステップＳ２０７でＹＥＳ）、処理を終了する。
【００４４】
また、ステップＳ２０７において、両分析結果の差が所定範囲を外れる場合には（ステップＳ２０７でＮＯ）、ＣＰＵ３１ａは、分析装置５へ設定値を要求する要求データを送信する（図５ＡのステップＳ２０８）。
【００４５】
分析装置５の情報処理ユニット５ｂにより前記要求データが受信されると（図５ＣのステップＳ２３１）、情報処理ユニット５ｂのＣＰＵ５１０に割り込みが発生し、ステップＳ２３２の処理が呼び出される。ステップＳ２３２においては、ＣＰＵ５１０がハードディスク５７から設定値５８ｃを読み出す。その後、ＣＰＵ５１０は、当該設定値を製造支援装置３へ送信する（図５ＣのステップＳ２３３）。
【００４６】
製造支援装置３により分析装置５の設定値が受信されると（図５ＡのステップＳ２０９）、ＣＰＵ３１ａに割り込みが発生し、ステップＳ２１０の処理が呼び出される。ステップＳ２１０においては、ＣＰＵ３１ａが、両分析結果の差に応じて、分析装置５の設定値を調整し、分析装置５の調整に用いられる新たな設定値（調整済みの設定値）を生成する。そして、ＣＰＵ３１ａは、調整済みの設定値を分析装置５へ送信し（ステップＳ２１１）、処理を終了する。
【００４７】
分析装置５の情報処理ユニット５ｂにより調整済みの設定値が受信されると（図５ＣのステップＳ２３４）、情報処理ユニット５ｂのＣＰＵ５１０に割り込みが発生し、ステップＳ２３５の処理が呼び出される。ステップＳ２３５においては、ＣＰＵ５１０がハードディスク５７に記憶されている設定値５８ｃを調整済みの設定値で書き換え、これにより分析装置５の調整が行われる。そして、ＣＰＵ５１０は、処理を終了する。以上の処理によって、分析装置５の設定値の調整が完了する。
【００４８】
＜検査用画面表示動作＞
上述のような「分析装置の設定動作」及び「設定値の調整動作」を含む調整工程が終了した後には、検査工程が行われる。この検査工程には、製造支援システム１の「検査用画面表示動作」が含まれる。
【００４９】
図６Ａは、検査用画面表示動作における製造支援装置３の処理の流れ示すフローチャートであり、図６Ｂは、同動作における分析装置５の処理の流れを示すフローチャートである。
【００５０】
この検査用画面表示動作においては、まず、図６Ａに示すように、製造支援装置３のＣＰＵ３１ａが、ハードディスク３１ｄに記憶されているコマンド３６の中から特定の画面の表示コマンドを読み出し、分析装置５へ特定の画面の表示コマンドを送信する（図６ＡのステップＳ３０１）。このコマンドは、分析装置５の特定の画面（例えば、設定値表示画面）を表示する調整・検査用プログラムに対応しており、分析装置５の情報処理ユニット５ｂにより当該コマンドが受信されると（図６ＢのステップＳ３１１）、当該情報処理ユニット５ｂのＣＰＵ５１０に割り込みが発生し、当該コマンドに対応する調整・検査用プログラムが実行される（図６ＢのステップＳ３１２）。これにより、自動的に情報処理ユニット５ｂの画像表示部に、表示が指示された画面が表示される。作業者は、かかる画面により設定値が規定の数値になっているかどうかを確認するなど、検査工程において実施すべき作業を行う。
【００５１】
次に、ＣＰＵ５１０は、正常に画面が表示できたか否かを判定し（図６ＢのステップＳ３１３）、正常に画面が表示されている場合には（ステップＳ３１３においてＹＥＳ）、画面の表示が正常に行われた旨を示す正常データを送信し（ステップＳ３１４）、処理を終了する。また、ステップＳ３１３において、正常に画面が表示されなかった場合には（ステップＳ３１３においてＮＯ）、ＣＰＵ５１０は、画面の表示が正常に行われなかった旨を示す異常データを送信し（ステップＳ３１５）、処理を終了する。
【００５２】
製造支援装置３により正常データ又は異常データが受信されると（図６ＡのステップＳ３０２）、ＣＰＵ３１ａに割り込みが発生し、ステップＳ３０３の処理が呼び出される。ステップＳ３０３においては、ＣＰＵ３１ａが、受信されたデータが正常データであるか、異常データであるかを判定する。受信データが正常データである場合には（図６ＡのステップＳ３０３で「正常データ」）、ＣＰＵ３１ａは、ハードディスク３１ｄに、当該分析装置５の前記特定の画面の表示動作が正常に完了した旨を記録し（ステップＳ３０４）、処理を終了する。また、ステップＳ３０３において、受信データが異常データである場合には（図６ＡのステップＳ３０３で「異常データ」）、ＣＰＵ３１ａは、ハードディスク３１ｄに、当該分析装置５の前記特定の画面の表示動作において異常が発生した旨を記録し（ステップＳ３０５）、処理を終了する。
【００５３】
上記のような構成とすることより、ＬＡＮ４２に分析装置を接続するだけで、その分析装置の機種用の設定値によって自動的に分析装置の設定を行うことができる。従って、従来作業者が手作業で行っていた、分析装置の機種の確認、その分析装置に対する設定値の入力作業を作業者が行う必要がなく、作業者の負担が軽減される。
【００５４】
また、上記のように、分析装置５及び基準機５０に、標準検体を分析する際の一連の動作その他の調整工程・検査工程において実行される動作を自動的に行うための調整・検査用プログラムを記憶しておき、このプログラムの実行を指示するコマンドを製造支援装置から送信する構成としたので、調整・検査工程における作業者の負担が軽減される。
【００５５】
また、上記のように、製造支援装置３が、自動的に基準機５０の分析結果と分析装置５の分析結果とを比較し、分析装置５の設定を調整する構成としたので、作業者の手作業により基準機５０及び分析装置５のそれぞれで標準検体を分析し、その結果に応じて分析装置５の設定値を調整する必要がなく、さらに作業者の負担が軽減される。
【００５６】
（その他の実施の形態）
また、上述した実施の形態においては、設定値の調整動作において、分析装置５の標準検体の分析結果と基準機５０の標準検体の分析結果との差が所定範囲を越える場合に、製造支援装置３が分析装置５から設定値を受信し、その設定値を調整して調整済みの設定値を生成し、調整済みの設定値を分析装置５へ送信して、分析装置５の調整を行う構成について述べたが、これに限定されるものではない。分析装置５の標準検体の分析結果と基準機５０の標準検体の分析結果との差が所定範囲を越える場合に、製造支援装置３がその差に基づいて、設定値を調整するための調整用データを生成し、その調整用データを分析装置５へ送信し、分析装置５が調整・検査用プログラムを実行することにより、調整用データを使用して設定値を自己調整する構成であってもよい。
【００５７】
また、分析装置５に実行させることが可能な調整・検査用プログラム及びシーケンスプログラムは、上記の実施の形態において説明したものに限られず、例えば、ハードディスク５７に記憶されているバージョン情報５８ｂを分析装置５に送信させるためのプログラム等、調整工程又は検査工程において必要となる動作を分析装置５に自動的に行わせるためのプログラムであれば、他の動作を実行するためのプログラムであってもよい。
【００５８】
また、上述した実施の形態においては、１つのコンピュータ３ａのＣＰＵ３１ａに製造支援プログラム３４ａを実行させることにより、このコンピュータ３ａを製造支援装置３として機能させる構成について述べたが、これに限定されるものではなく、製造支援プログラム３４ａと実質的に同一の処理を実行するための専用のハードウェア回路により製造支援装置を構成することもできる。
【００５９】
また、上述した実施の形態においては、単一のコンピュータ３ａにより製造支援プログラム３４ａの全ての処理を実行する構成について述べたが、これに限定されるものではなく、上述した製造支援プログラム３４ａと同様の処理を、複数の装置（コンピュータ）により分散して実行する分散システムとすることも可能である。
【００６０】
また、上述した実施の形態においては、製造支援システム１が、サーバ装置２とそのクライアント装置である製造支援装置３，３，…とを備える構成としたが、これに限定されるものではない。製造支援システムが、サーバ装置を備えず、製造支援プログラム３４ａが実行される単一のコンピュータにより構成されるものであってもよい。
【産業上の利用可能性】
【００６１】
本発明の製造支援システムは、検体を分析する分析装置の製造を支援する製造支援システムなどとして有用である。
【図面の簡単な説明】
【００６２】
【図１】実施の形態に係る製造支援システムの全体構成を示す模式図。
【図２】実施の形態に係る製造支援システムが備える製造支援装置の構成を示すブロック図。
【図３】分析装置の構成の一例を示すブロック図。
【図４Ａ】分析装置の設定動作における製造支援装置の処理の流れ示すフローチャート。
【図４Ｂ】分析装置の設定動作における分析装置の処理の流れを示すフローチャート。
【図５Ａ】設定値の調整動作における製造支援装置の処理の流れを示すフローチャート。
【図５Ｂ】設定値の調整動作における基準機の処理の流れを示すフローチャート。
【図５Ｃ】設定値の調整動作における分析装置の処理の流れを示すフローチャート。
【図６Ａ】検査用画面表示動作における製造支援装置の処理の流れ示すフローチャート。
【図６Ｂ】検査用画面表示動作における分析装置の処理の流れを示すフローチャート。
【符号の説明】
【００６３】
１      製造支援システム
３      製造支援装置
３ａ      コンピュータ
３１ａ      ＣＰＵ
３１ｃ      ＲＡＭ
３１ｄ      ハードディスク
３１ｅ      読出装置
３１ｈ      通信インタフェース
３４      可搬型記録媒体
３４ａ      製造支援プログラム
３５ａ，３５ｂ，…      設定ファイル
３６      コマンド
４２      ＬＡＮ
５      分析装置
５１０      ＣＰＵ
５３      メモリ
５４      設定値
５５ａ，５５ｂ，…      シーケンスプログラム
５６ａ，５６ｂ，…      機構ユニット
５７      ハードディスク
５８ａ      装置情報
５８ｂ      バージョン情報
５８ｃ      設定値
５９ａ，５９ｂ，…      調整・検査用プログラム
５０      基準機
【図１】
0005280741.tif 000002
【図２】
0005280741.tif 000003
【図３】
0005280741.tif 000004
【図４Ａ】
0005280741.tif 000005
【図４Ｂ】
0005280741.tif 000006
【図５Ａ】
0005280741.tif 000007
【図５Ｂ】
0005280741.tif 000008
【図５Ｃ】
0005280741.tif 000009
【図６Ａ】
0005280741.tif 000010
【図６Ｂ】
0005280741.tif 000011